(57)【特許請求の範囲】
【請求項１】
地中に埋設された既設管を先行させる先導管の先端に設けたカッターヘッドで破砕しながら、発進立抗と到達立坑の間で前記先導管とともに新しい更新管を推進する改築推進装置であって、
先導管の先端部に形成された後方止水壁と、カッターヘッドの前方に配置され前記既設管内に挿入される前方止水壁と、により、泥水圧力チャンバを形成する当該先導管と、
前記前方止水壁と前記カッターヘッドの面板を連結し、前記泥水圧力チャンバ内への送泥を可能にするスイベル装置と、
泥水プラントと、泥水ポンプおよび排泥ポンプと、前記到達立坑側から前記既設管を通って延び、前記スイベル装置に接続される送泥管および前記前方止水壁に接続される排泥管と、を有し、前記前記圧力チャンバと前記泥水プラントとの間で泥水を循環させる泥水循環系統と、
前記カッターヘッドを回転駆動し、前記後方止水壁の背面に取り付けられるとともに、泥水通路となる中空の出力軸を有する駆動装置と、
前記発進立坑に設置され、前記先導管および更新管を推進する推力を発生する推進装置と、
を備えたことを特徴とする泥水式改築推進装置。
【請求項２】
前記スイベル装置は、前記送泥管に連通する泥水通路を有するスイベル軸を有し、前記駆動装置の出力軸は前記スイベルと軸と接続され、前記出力軸には泥水の送泥口が開口していることを特徴とする請求項１に記載の泥水式改築推進装置。
【請求項３】
前記カッターヘッドの面板の背面には、泥水を撹拌する撹拌板が取り付けられたことを特徴とする請求項１に記載の泥水式改築推進装置。
【請求項４】
前記前方止水壁の外縁部には、前記既設管の内周面を摺動可能な止水用の円環状のゴムパッキンが装着されたことを特徴とする請求項１に記載の泥水式改築推進装置。
【請求項５】
前記前方止水壁の外縁部には、前記既設管の内周面を摺動可能なリング状でエアの封入された止水用のエアチューブが装着されたことを特徴とする請求項１に記載の泥水式改築推進装置。
【請求項６】
前記泥水循環系統の送泥管、排泥管は、可撓性のある樹脂製ホースからなることを特徴とする請求項２に記載の泥水式改築推進装置。
【請求項７】
前記泥水循環系統の送泥管および排泥管を前記到達立坑側に常時引張する引き込み手段を有することを特徴とする請求項６に記載の泥水式改築推進装置。
【発明の詳細な説明】
【技術分野】
【０００１】
本発明は、老朽化した下水道管を新しい下水管に入れ替える工事で使用される泥水式改築推進装置に関する。
【背景技術】
【０００２】
耐用年数が過ぎて老朽化した下水道管や、地盤が悪く道路を通過する車両の荷重のために使用に問題がある下水道管を新しい下水道管に入れ替える工事では、既設管を改築推進機で破砕しながら、更新管を推進していく改築推進工法が従来から行われている。
【０００３】
地下水が流れていたり、地下水を多量に含む地盤では、地下水によって切羽が崩壊して推進が困難になることがある。このような地盤では、泥水式の改築推進工法が採用されている（特許文献１）。
【０００４】
従来の泥水式改築推進工法では、カッターヘッドと隔壁とで泥水圧力チャンバを先導管の前部に区画し、この泥水圧力チャンバに泥水を満たして、切羽の土圧および地下水圧に見合う圧力に保持することによって切羽を安定させている。
【０００５】
また、カッターヘッドの回転により掘削した土砂は、泥水と混合して坑外に移送される。発進抗内には、更新管を推進する元押しジャッキが配置されており、泥水を排出しながらこの元押しジャッキで更新管を圧入布設している。坑外には、排泥水から土砂を分離する泥水処理装置が設けられており、土砂を分離した後の泥水は、再び泥水圧力チャンバに送られるようになっている。
【先行技術文献】
【特許文献】
【０００６】
【特許文献１】特開平０７−９８０７７号公報
【発明の開示】
【発明が解決しようとする課題】
【０００７】
従来の泥水式改築推進工法では、泥水圧力チャンバと泥水処理装置との間で泥水を循環させる泥水循環系統は、送泥管と排泥管の２本のパイプを先導管の後部から更新管の内部、発進立坑まで延ばし、さらに、発進立坑から地上の泥水処理装置まで配管している。  
このように従来は、泥水循環系統を先導管から更新管を通して後方の発進立坑側に配管していたため、次のような問題があった。
【０００８】
まず、先導管の内部には、カッターヘッドを回転駆動するカッター駆動装置が配置されているが、送泥管と排泥管を通さなければならないことが制約となって、大型カッター駆動装置を設置することができず、大出力化することができないという問題があった。
【０００９】
また、送泥管や排泥管を更新管に通しているため、更新管を継ぎ足す毎に、送泥管および排泥管を切り離し、新しい管を継ぎ足す必要がある。その場合には、泥水圧力チャンバ内の泥水圧力を保持するために、バイパス装置を先導管内および発進立坑に設置して泥水を循環させなければならない。そして、推進を再開する場合には、泥水循環系統からバイパス装置を切り離し、送泥管と排泥管を連結し直す作業が必要になり、作業効率が悪いという問題がある。
【００１０】
そこで、本発明の目的は、前記従来技術が有する問題点を解消し、カッターヘッドを大トルクで駆動できるように駆動装置の大出力化が容易であり、しかも、更新管を継ぎ足すときには、送泥管と排泥管を泥水循環系統から切り離し、再連結といった作業やバイパス装置が不要になる泥水式改築推進装置を提供することにある。
【課題を解決するための手段】
【００１１】
前記の目的を達成するために、本発明は、地中に埋設された既設管を先行させる先導管の先端に設けたカッターヘッドで破砕しながら、発進立抗と到達立坑の間で前記先導管とともに新しい更新管を推進する改築推進装置であって、先導管の先端部に形成された後方止水壁と、カッターヘッドの前方に配置され前記既設管内に挿入される前方止水壁と、により、泥水圧力チャンバを形成する当該先導管と、前記前方止水壁と前記カッターヘッドの面板を連結し、前記泥水圧力チャンバ内への送泥を可能にするスイベル装置と、泥水プラントと、泥水ポンプおよび排泥ポンプと、前記到達立坑側から前記既設管を通って延び、前記スイベル装置に接続される送泥管および前記前方止水壁に接続される排泥管と、を有し、前記前記圧力チャンバと前記泥水プラントとの間で泥水を循環させる泥水循環系統と、前記カッターヘッドを回転駆動し、前記後方止水壁の背面に取り付けられるとともに、泥水通路となる中空の出力軸を有する駆動装置と、前記発進立坑に設置され、前記先導管および更新管を推進する推力を発生する推進装置と、を備えたことを特徴とするものである。
【図面の簡単な説明】
【００１３】
【図１】本発明による泥水式改築推進装置の一実施形態を示す縦断面図である。
【図２】同泥水式改築推進装置の先導管の縦断面図である。
【図３】図２の先導管の変形例を示す縦断面図である。
【発明を実施するための最良の形態】
【００１４】
以下、本発明による泥水式改築推進装置の一実施形態について、添付の図面を参照しながら説明する。  
図１は、本実施形態による泥水式改築推進装置の全体構成を示す図である。図１において、参照番号５０は、老朽化した下水管である既設管を示し、参照番号６０は既設管５０と入れ替えることになる更新管を示している。参照番号１０は、既設管５０の改築開始位置で地表から掘削された発進立坑を示し、参照番号１２は、到達立坑として利用するマンホールを示している。なお、発進立坑１０については、本発明では、発進立坑に設置する機器が少ないため、既設のマンホールで代用可能となる場合もある。
【００１５】
本発明が適用される泥水式改築推進装置は、先導管１４と、発進立坑１０に設置される推進装置１６とを備えている。推進装置１６と先導管１４の間には更新管６０が連結されている。更新管６０の後端は、推進装置１６の押出台１５に連結されている。この押出台１５は、ベースとなるガイドフレーム１７の上で推進方向に移動自在に設置されている。そして、押出台１５には、先導管１４を推進させるための推力を発生する油圧シリンダ１８が取り付けられており、この油圧シリンダ１８のピストンロッド１８ａの先端部は反力受け１９に連結されている。
【００１６】
次に、先導管１４は更新管６０の先端に連結されており、先導管１４には次のような構成のカッターヘッド２０が設けられている。このカッターヘッド２０は、複数個のカッター２１が取り付けられている面板２２を含む。
【００１７】
図２に示されるように、先導管１４の内部には、カッターヘッド２０を回転させる駆動機構として、モータ２３と減速機２４が先導管１４と同軸に設置されている。減速機２４の出力軸２５は、面板２２と連結されている。
【００１８】
先導管１４には、後方止水壁２６が形成されており、先導管１４の内部は、この後方止水壁２６によって、モータ２３および減速機２４が配置される空間と泥水圧力チャンバ２７とが区画されているとともに、減速機２４は後方止水壁２６に取り付けられている。カッターヘッド２０の前方には、既設管５０に挿入されるようにして前方止水壁２８が設けられている。泥水圧力チャンバ２７は、先導管１４の先端部と既設管５０の後端の掘削部分をまたがるようにして形成され、切羽の土圧と地下水圧に均衡する圧力で泥水が循環するようになっている。
【００１９】
前方止水壁２８は、既設管５０の内径よりも小さな径の円板であり、後述するスイベル装置３０によって支持されている。この前方止水壁２８の外周縁部には、泥水圧力チャンバ２７からの泥水の漏洩をシールする円環状のゴムパッキン２９が取り付けられている。このゴムパッキン２９は、既設管５０の内面に折れ曲がって圧接するようになっており、先導管１４の前進とともに既設管５０の内面を摺動しながらシール状態を保持するようになっている。
【００２０】
減速機２４の出力軸２５は、中空軸として構成されており、この出力軸２５には、同じく中空のスイベル軸３０ａが連結されている。スイベル装置３０には、泥水圧力チャンバ２６に泥水を送排泥する泥水循環系統の送泥管３１が管継手３３を介して接続されている。スイベル軸３０ａは、本体部３４において軸受３５によって回転自在に支持されている。スイベル軸３０ａおよび減速機２４の出力軸２５には、軸方向に連続する泥水通路３７が形成されている。出力軸２５の側面には、泥水通路３６の出口になる開口部３７ａが開口している。他方、前方止水壁２８には、排泥口３８が形成されており、この排泥口３８には管継手４０を介して排泥管３２が接続されている。
【００２１】
図２の実施形態では、送泥管３１から送り込まれた泥水は、スイベル軸３０ａおよび出力軸２５に形成された泥水通路３７を通って開口部３７ａから吐出される。面板２２には、複数の泥水穴４１が開口しており、開口部３７ａから吐出された泥水は泥水穴４１を通って面板２２の前方に送られ、排泥口３８から排泥管３２を通って排出されることになる。なお、面板２２の背面には、泥水と土砂を撹拌するための複数の撹拌板４２が取り付けられている。
【００２２】
次に、図１を参照して、泥水循環系統について説明する。図１において、参照番号４３は送泥ポンプを示す。参照番号４４は、泥水プラントを示しており、泥水を溜めているタンクを備えるほか、泥水を調整したり、還ってきた泥水から土砂、破砕物を分離する泥水プラントである。この送泥ポンプ４３と泥水プラント４４は、地上に配置されている。泥水ポンプ４３の吐出口に接続された送泥管３１は、到達立坑１２に引き込まれて、既設管５０を通してスイベル装置３０に接続されている。
【００２３】
到達立坑１２の底には、排泥ポンプ４５が設置されている。前方止水壁２８に一端が接続されている排泥管３２は、排泥ポンプ４５の吸込み口に接続されている。そして排泥ポンプ４５の吐出口には排泥管４６が接続されており、この排泥管４６は、到達立坑１２から引き出されて泥水プラント４４に接続されている。
【００２４】
この実施形態では、図１に示されるように、送泥管３１と排泥管３２は、いっしょにワイヤ４７で束ねるととともに、ワイヤ４７を到達立坑１２の壁面に設置したプーリ４８に巻き掛けている。ワイヤ４７にはウェイト４９が取り付けられている。送泥管３１と排泥管３２は、ウェイト４９の重量によって先導管１４の推進方向に常に引っ張られるようにテンションがかかるようになっている。
【００２５】
本実施形態による泥水式改築推進装置は、以上のように構成されるものであり、次に、この泥水式改築推進装置を用いて実施する泥水式改築推進工法について説明する。
【００２６】
図１並びに図２において、カッターヘッド２０の面板２２をモータ２３によって回転駆動しながら、油圧シリンダ１８で先導管１４を押し込んでいくと、カッター２１は既設管５０を破砕し地盤を掘削していく。この間、送泥ポンプ４３から送泥管３１を流れてくる泥水は、スイベル装置３０を通り出力軸２５の開口部３７ａから泥水圧力チャンバ２７に送り込まれる。
【００２７】
そして、泥水圧力チャンバ２７内で土砂および既設管５０の破砕物と混じって撹拌板４２により撹拌された泥水は、排泥口３８から排泥ポンプ４５によって排泥管３２に吸い込まれ、さらに、排泥ポンプ４５から排泥管４６を通って泥水プラント４４に送られることになる。この泥水プラント４４では、泥水から土砂、破砕物が分離される。
【００２８】
このように循環している泥水によって、泥水圧力チャンバ２７内は、土圧と地下水圧に均衡する圧力に保持されるので、地下水を多量に含む地盤であっても、切羽が崩壊することなくカッターヘッド２０による安定した切削が可能である。
【００２９】
また、泥水圧力チャンバ２７内の泥水圧力は、前方止水壁２８の外周縁部に取り付けたゴムパッキン２９によるシールが効いて保持されている。このゴムパッキン２９のように、既設管５０の内周面に円環状のゴムを押し付けるようにしているので、先導管１４の推進とともに既設管５０の内周面を摺動していく間も、たとえ既設管５０に変形が生じていて歪んでいたとしても、シール機能を維持し、泥水圧力チャンバ２７内の泥水圧力を維持することができる。
【００３０】
ここで、図３は、ゴムパッキン２９の替わりに、リング状にしたエアチューブ５２をシール部材として前方止水壁２８に取り付けるようにした実施の形態である。この場合、エアチューブ５２の中には所定の圧力のエアが密封されており、エアチューブ５２は潰れた状態で既設管５０の内周面に押し付けられている。
【００３１】
このようなエアチューブ５２を用いても、ゴムパッキン２９と同等のシール性能を得ることができる。
【００３２】
送泥管３１は、先導管１４の前方止水壁２８を支持するスイベル装置３０に接続され、排泥管３２は前方止水壁２８に接続されているので、泥水圧力チャンバ２７と泥水プラント４４の間で泥水を循環させる泥水循環系統の送・排泥用の配管を先導管１４の内部を通さずに、既設管５０を通して前方の到達立坑１２の方に引き出すことができる。言い換えれば、泥水循環系統の送・排泥用配管を従来のように、後方側、すなわち先導管１４から更新管６０を通して発進立坑１０に配管する必要がなくなる。
【００３３】
このことにより、先導管１４の後方止水壁２６から後方に配置されているモータ２３および減速機２４の設置スペースには、泥水循環系統の送・排泥管による制約がなくなるので、先導管１４の断面積全体を設置スペースに有効利用することができ、特にモータ２３に大型モータを採用し、大トルクを出力する駆動装置を設置することができる。
【００３４】
こうして、既設管５０を破砕しながら、更新管６０を１本分推進するごとに、モータ２３を停止する。発進立坑１０側では、推進装置１６の押出台１５から更新管６０を外した後、油圧シリンダ１８により押出台１５を後退させて、次の更新管６０を継ぎ足す作業を行うことになる。このとき、従来のような泥水循環系統の送・排泥用配管の切り離し作業は全く不要である。カッターヘッド２０の回転が停止しても、泥水の循環はそのまま継続される。
【００３５】
発進立坑１０側で更新管６０を継ぎ足している間、泥水圧力チャンバ２７と泥水プラント４４の間では、上述した泥水循環系統を通じて泥水の循環は停止することなく継続されている。これにより、泥水圧力チャンバ２７内の泥水圧力は、更新管６０の継ぎ足し作業が行われている間も保持されているので、切羽が崩壊するような事態を未然に防止することができる。  
更新管６０の継ぎ足しが終わり、推進を再開するときには、従来のような泥水循環系統の送・排泥用配管の連結作業は全く不要である。
【００３６】
このように、更新管６０の継ぎ足し作業の前後において、泥水循環系統の送・排泥用配管の切り離し、再連結作業は不要であり、したがって、従来のような泥水循環を維持するためのバイパス装置を先導管１４の内部や発進立坑１０に設置する必要もなくなる。
【００３７】
次に、推進を再開して、油圧シリンダ１８で更新管６０を押し込んでいくと、カッターヘッド２０は既設管５０を破砕すると同時に地盤を掘削していく。  
この間、先導管１４が徐々に前進していくと、スイベル装置３０、前方止水壁２８にそれぞれ接続されている送泥管３１と排泥管３２は、次のようにして先導管１４の前進とともに到達立坑１２側に引っ張られていく。
【００３８】
この実施形態では、送泥管３１と排泥管３２は、プーリ４８に巻き掛けられたワイヤ４７により吊られており、先導管１４の前進に伴って、送泥管３２と排泥管３１は到達立坑１２側に押し出されつつも、同時にウェィト４９の重量によって到達立坑１２側に引っ張られているので、送泥管３２と排泥管３１とは絡まりあうことなく、円滑に更新管６０内から引き出すことができる。
【００３９】
また、送泥管３２と排泥管３１には、長さ数十メートルの可撓性のある強化ビニールホースを用いることができる。このようなビニールホースを送排泥管に用いることで、連続した作業が可能である。
【符号の説明】
【００４０】
１０…発進立坑、１２…到達立坑、１４…先導管、１５…押出台、１６…推進装置、１８…油圧シリンダ、２０…カッターヘッド、２１…カッター、２２…面板、２３…モータ、２４…減速機、２５…出力軸、２６…後方止水壁、２７…泥水圧力チャンバ、２８…前方止水壁、２９…ゴムパッキン、３０…スイベル装置、３０ａ…スイベル軸、３１…送泥管、３２…排泥管、４２…撹拌板、４３…送泥ポンプ、４４…泥水プラント、４６…排泥管、５０…既設管、６０…更新管  
【図１】
0005657472.tif 000002
【図２】
0005657472.tif 000003
【図３】
0005657472.tif 000004